(57)【要約】【課題】リアクトルの周囲に伝わる騒音を可及的に抑制すること。【解決手段】コア１２及びコイル１４を有するリアクトル１０と、該リアクトル１０を収容可能な略筺状のケース２０と、ケース２０の開口を覆う蓋部２８とを備える。ケース２０及び蓋部２８は、多孔質金属により形成されており、リアクトル１０で生じた騒音がその周囲に伝わることを抑制する。【選択図】図１
2006351653.tif 000002
【特許請求の範囲】
【請求項１】
コア及びコイルを有するリアクトルと、
多孔質金属により形成され、前記リアクトルを収容可能なケースと、
を備えたリアクトル装置。
【請求項２】
請求項１記載のリアクトル装置であって、
前記ケースは開口を有し、
前記開口に多孔質金属で形成された蓋が設けられた、リアクトル装置。
【請求項３】
請求項１又は請求項２記載のリアクトル装置であって、
前記ケースが、接着剤を介して基台に固定された、リアクトル装置。
【請求項４】
請求項３記載のリアクトル装置であって、
前記接着剤は、熱伝導性を有する接着剤である、リアクトル装置。
【発明の詳細な説明】
【技術分野】
【０００１】
この発明は、リアクトル装置で発生する騒音を防止するための技術に関する。
【背景技術】
【０００２】
リアクトルは、コアとコイルとで構成されており、通常、ケース内に収容した形態で使用される。一般的に、燃料電池車やハイブリッド自動車といった車両で用いられるリアクトルは、大電流・高電圧使用であるため、大きな騒音が発生する傾向にある。
【０００３】
騒音の発生原因としては、コアのギャップ側一端部とギャップ部材とコアのギャップ側他端部との間で働く電磁吸引力によるものと、リアクトルコア自体の磁歪によるものとが挙げられる。
【０００４】
これらが原因となってコアで発生した騒音を遮音ないし吸音するための騒音対策技術として、例えば、リアクトルを収容するケースの上方開口に蓋を取付け、この蓋を吸音効果のある発泡部材で構成したものがある。
【発明の開示】
【発明が解決しようとする課題】
【０００５】
ところで、リアクトルから発生する騒音は、該リアクトルを中心にして放射状に伝わる。しかしながら、上記騒音対策技術では、ケースの上方開口を発泡部材である蓋で覆うだけの構成であるため、ケース側面等からの騒音を防ぐことはできず、騒音対策として不十分である。
【０００６】
そこで、本発明は、リアクトルの周囲に伝わる騒音を可及的に抑制することを目的とする。
【課題を解決するための手段】
【０００７】
上記課題を解決するため、この発明に係るリアクトル装置は、コア及びコイルを有するリアクトルと、多孔質金属により形成され、前記リアクトルを収容可能なケースと、を備えたものである。
【０００８】
この場合に、前記ケースは開口を有し、前記開口に多孔質金属で形成された蓋が設けられた構成であってもよい。
【０００９】
また、前記ケースが、接着剤を介して基台に固定されていてもよい。
【００１０】
さらに、前記接着剤は、熱伝導性を有する接着剤であってもよい。
【発明の効果】
【００１１】
この発明のリアクトル装置によると、コア及びコイルを有するリアクトルと、多孔質金属により形成され、前記リアクトルを収容可能なケースとを備えているため、リアクトルで発生した騒音が多孔質金属により形成されたケースで抑制され、リアクトルの周囲に伝わる騒音を可及的に抑制することができる。
【００１２】
また、前記ケースは開口を有し、前記開口に多孔質金属で形成された蓋が設けられていると、多孔質金属で形成されたケース及び蓋部によって、リアクトルの周囲に伝わる騒音を全方位的に抑制することができる。
【００１３】
さらに、前記ケースが、接着剤を介して基台に固定されていると、リアクトル装置を比較的強固に基台に固定できる。
【００１４】
また、前記接着剤が、熱伝導性を有する接着剤であると、ケースから接着剤及び基台を介して放熱し易い。
【発明を実施するための最良の形態】
【００１５】
以下、実施形態に係るリアクトル装置について説明する。図１はリアクトル装置を示す一部断面正面図であり、図２はリアクトル装置を示す一部断面側面図である。
【００１６】
このリアクトル装置は、例えば、ハイブリッド車又は燃料電池車の駆動用の電源系統（特に、昇圧コンバータ）に用いられるものであり、リアクトル１０と、ケース２０とを備えている。
【００１７】
リアクトル１０は、コア１２及びコイル１４を有する構成であり、一種のトロイダルコイルである。コア１２は、磁性体により略環状（より具体的には略方形環状）に形成されている。このコア１２に平角線等の被覆付導電線を巻付けることで、コイル１４が形成されている。ここでは、コア１２に対して部分的にコイル１４が形成されており、より具体的には、コア１２の対向する２つの辺部分にコイル１４が形成されている。
【００１８】
ケース２０は、多孔質金属により形成された部材であり、リアクトル１０を収容可能な形状に形成されている。
【００１９】
より具体的には、ケース２０は、略直方体形状の一面を開口させた略筺状形状に形成されている。上記開口に対向する底面２２には、部分的な凹部２３が形成されている。ケース２０の側面部分等を構成する板厚は、例えば、２．５ｍｍ〜３ｍｍである。上記リアクトル１０は、略環状のコア１２の中心軸を底面２２に対して略垂直にした姿勢で、かつ、コイル１４の部分を凹部２３内に配設した状態で、ケース２０内に収容される。この状態で、ケース２０は、リアクトル１０の底部及び側方四方を外部に露出しないように覆っている。また、ケース２０の開口には、該開口を閉塞するように蓋部２８が設けられている。
【００２０】
これらのケース２０及び蓋部２８は、多孔質金属により形成されている。多孔質金属としては、例えば、ニッケル系やニッケルクロム系の多孔質金属を用いることができ、特に、９０〜９８％の気孔率と連結空孔を持つセルメット（商標：住友電工株式会社製）を用いることができる。
【００２１】
なお、上記ケース２０内では、ケース２０の内面とリアクトル１０との間に、充填後固化されたポッティング樹脂２６が介在している。
【００２２】
このリアクトル装置は、接着剤を介して取付対象となる基台４０に固定される。具体的には、リアクトル装置のケース２０の外側底面と基台４０の取付面との間に接着剤を介在させるようにして、リアクトル装置が基台４０に固定される。接着剤としては、例えば、銅粉等の金属粉を混入した接着剤や、カーボン粉末を混入した接着剤等、熱伝導性を有する接着剤を用いることが好ましい。また、基台４０は、リアクトル装置の放熱を容易にするために、フィン形状部分を持つ等、ヒートシンクとしての機能を有することが好ましい。
【００２３】
このリアクトル装置では、内部のリアクトル１０で発生した騒音のうちその底方向及び側方周囲に放射されものは、多孔質金属により形成されてリアクトル１０を収容するケース２０によって遮音ないし吸収される。よって、リアクトル１０で発生した騒音が多孔質金属により形成されたケース２０で抑制され、リアクトル１０の周囲に伝わる騒音を可及的に抑制することができる。また、ケース２０の周りに他の遮音用の部材を設ける必要がないという点から、リアクトル装置のコンパクト化にも貢献する。
【００２４】
また、内部のリアクトル１０で発生した騒音のうちその上方に放射された騒音は、蓋部２８で遮音ないし吸収される。よって、リアクトル１０で発生した騒音が蓋部２８でも抑制されることになり、リアクトル１０で発生した騒音がケース２０及び蓋部２８によって全方位的に抑制することができる。
【００２５】
また、これらのケース２０や蓋部２８を形成する多孔質金属は、表面の気孔によって表面積を比較的大きくすることができるという特性を持っている。このため、ケース２０や蓋部２８の外表面積を大きくして放熱面積を大きくし、もって比較的良好な放熱効果を得ることができるというメリットもある。
【００２６】
さらに、この多孔質金属によって形成されたケース２０及び蓋部２８は、例えば、これらを発泡樹脂等で形成した場合と比べて、物理的な強度や耐熱性、熱伝導性に優れる。特に、耐熱性及び熱伝導性に優れることから、比較的高い熱を発しやすい本リアクトル１０を収容し、かつ、その熱を外部に伝達するのに適している。
【００２７】
また、このリアクトル装置では、ケース２０が、接着剤を介して基台４０に固定されているため、固定のための力をケース２０の外底面全体に分散させることができる。これにより、リアクトル装置をより確実かつしっかりと基台４０に固定することができる。
【００２８】
しかも、その接着剤は熱伝導性を有するものであるため、リアクトル１０で発生した熱を、ポッティング樹脂２６からケース２０及び接着剤を介して基台４０に伝え、基台４０から外部に放熱させることができる。このため、リアクトル１０で発生した熱を効率よく放熱することができる。
【００２９】
なお、ケース２０は、必ずしも略立方体形状の筺状形状である必要はなく、略三角柱状の筺状或は円筒形状であってもよい。要するに、ケース２０は、リアクトル１０を収容可能な形状、特に、その底部及び側方を覆うように収容する形状であればよい。
【図面の簡単な説明】
【００３０】
【図１】実施形態に係るリアクトル装置を示す一部断面正面図である。
【図２】同上のリアクトル装置を示す一部断面側面図である。
【符号の説明】
【００３１】
１０  リアクトル
１２  コア
１４  コイル
２０  ケース
２８  蓋部
４０  基台
【図１】
2006351653.tif 000003
【図２】
2006351653.tif 000004